(57)【要約】【課題】巻取部材の引き出しを無段階で調整することが可能な回転ロック装置を提供する。【解決手段】巻取部材３の引き出し方向への巻取軸５の回転を許容し、巻取方向への巻取軸の回転をロックするように切り換えるワンウェイクラッチ機構３１と、軸方向へのスライドによってワンウェイクラッチ機構３１の切り換えを行うロック解除部材１３と、ロック解除部材１３に係合することによりロック解除部材１３のスライドをロックしてワンウェイクラッチ機構３１を巻取軸５の回転許容状態に保持するロックプレート１５と、ワンウェイクラッチ機構３１を巻取軸５の回転許容状態とするようにロック解除部材１３をスライドさせる操作部材１７とを備える。【選択図】図２
2014084650.tif 000002
【特許請求の範囲】
【請求項１】
巻取部材が巻き付けられ固定軸に回転可能に支持された巻取軸が巻取ばねの付勢力によって巻取方向に回転する回転をロックする回転ロック装置であって、
前記巻取軸と固定軸との間に設けられ、前記巻取部材の引き出し方向への巻取軸の回転を許容し、巻取方向への巻取軸の回転をロックするように切り換えるワンウェイクラッチ機構と、
前記固定軸の軸方向にスライド可能に設けられ、当該スライドによって前記ワンウェイクラッチ機構の切り換えを行うロック解除部材と、
このロック解除部材に対して係脱自在に前記固定軸に取り付けられ、前記ロック解除部材との係合によってロック解除部材のスライドをロックして前記ワンウェイクラッチ機構を巻取軸の回転許容状態に保持するロックプレートと、
前記ワンウェイクラッチ機構を巻取軸の回転許容状態とするように前記ロック解除部材をスライドさせる操作部材とを備えていることを特徴とする回転ロック装置。
【請求項２】
前記ワンウェイクラッチ機構は、前記巻取軸側に設けられた巻取軸側ラチェット歯と、前記固定軸側に設けられ前記巻取軸側ラチェット歯に係脱自在に噛合する固定軸側ラチェット歯と、前記巻取軸側ラチェット歯のラチェット形成面または固定軸側ラチェット歯のラチェット形成面のいずれか一方に出没可能に設けられ、前記巻取軸の引き出し方向への回転の際に相手のラチェット形成面に当接して相手のラチェット形成面との距離を保つ押出カム機構とによって形成されていることを特徴とする請求項１記載の回転ロック装置。
【請求項３】
前記巻取軸側ラチェット歯のラチェット形成面及び固定軸側ラチェット歯のラチェット形成面には、前記巻取軸の巻取方向への回転時に相互に係合可能な案内機構が設けられ、当該案内機構の係合によって前記巻取軸及び固定軸を接近させて前記ラチェット歯を噛合に導くことを特徴とする請求項２記載の回転ロック装置。
【請求項４】
前記押出カム機構は、いずれかのラチェット形成面に回動可能に設けられ当該回動によってラチェット形成面に対して出没動作する押出カムと、この押出カムが前記ラチェット形成面から突出するように押出カムを回動付勢する押出用ばねとによって形成されていることを特徴とする請求項２記載の回転ロック装置。
【請求項５】
前記案内機構は、一方のラチェット形成面のラチェット形成領域の外周側にラチェット歯よりも高くなるように形成された案内凸部と、この案内凸部と係合可能となって他方のラチェット形成面の外周側に形成された案内凹部とを備えていることを特徴とする請求項３記載の回転ロック装置。
【請求項６】
前記ワンウェイクラッチ機構は、前記巻取軸側に設けられた巻取軸側ラチェット歯と、前記固定軸側に設けられ前記巻取軸側ラチェット歯に係脱自在に噛合する固定軸側ラチェット歯とによって形成されていることを特徴とする請求項１記載の回転ロック装置。
【請求項７】
前記巻取軸の巻取方向への回転では、前記ロックプレートに作用することなく、引き出し方向への回転のときに前記ロックプレートが前記ロック解除部材との係合から外れるように作用する反転駒が前記巻取軸に設けられていることを特徴とする請求項１乃至６の何れか１項記載の回転ロック装置。
【発明の詳細な説明】
【技術分野】
【０００１】
本発明は、シャッタのスラットやロールブラインド、シート等の長尺な巻取部材が巻き付けられた巻取軸の回転をロックする回転ロック装置に関する。
【背景技術】
【０００２】
ロールブラインド等の巻取装置においては、コイルスプリングを巻取軸の回転ロック用のクラッチスプリングとして用い、このコイルスプリングを縮径又は拡径させて発生した摩擦力により巻取部材を任意の位置（高さ）で停止させる構造の回転ロック装置が従来より用いられている（例えば、特許文献１〜３参照）。
【０００３】
従来の回転ロック装置は、巻取軸をスクリーン等の巻取部材の巻取方向に回転させる巻取ばねに対し、コイルスプリングからなるクラッチばねを用い、クラッチばねが縮径又は拡径することにより巻取軸の巻き取り回転を許容又はロックする構造となっている。この回転ロック装置においては、巻取軸を回転可能に支持する固定軸の外周に複数の係止溝を有したハートカムを形成している。このハートカムはクラッチばねの一端側の係合端を係合状態で移動させる複数の係合溝を有している。複数の係止溝は、引き出されたスクリーンを任意の位置でロックさせ、且つ引き出されている巻取部材を若干引き出すことによりクラッチばねを縮径させてクラッチばねのロックを解除するために形成されている。
【先行技術文献】
【特許文献】
【０００４】
【特許文献１】特開２００６−１６１４１３号公報
【特許文献２】特開２００５−２９９２７３号公報
【特許文献３】特開平７−２７９５６０号公報
【発明の概要】
【発明が解決しようとする課題】
【０００５】
従来の回転ロック装置においては、引き出した巻取部材を任意の位置で停止させることができる。また、一旦引き出した停止位置で巻取部材を若干引き出すと、クラッチばねのロックが解除されるため、巻取部材が巻き取られる。このような構造では、一旦引き出した巻取部材を繰り返して引き出すと、ロック解除されて巻取部材が巻き取られる。このため従来の回転ロック装置では、巻取部材を一旦引き出した後においては、さらに巻取部材を引き出すことができず、巻取部材の引き出しを無段階で調整することができない問題を有している。
【０００６】
本発明はこのような従来の問題点を考慮してなされたものであり、引き出し状態で停止している巻取部材のロックを解除することにより巻取部材を巻き取ることができるのに加えて、任意の位置で停止した巻取部材を繰り返して引き出す際にも巻取方向のロックができ、これにより引き出しを無段階で調整することが可能な回転ロック装置を提供することを目的とする。
【課題を解決するための手段】
【０００７】
本発明の回転ロック装置は、巻取部材が巻き付けられ固定軸に回転可能に支持された巻取軸が巻取ばねの付勢力によって巻取方向に回転する回転をロックする回転ロック装置であって、前記巻取軸と固定軸との間に設けられ、前記巻取部材の引き出し方向への巻取軸の回転を許容し、巻取方向への巻取軸の回転をロックするように切り換えるワンウェイクラッチ機構と、前記固定軸の軸方向にスライド可能に設けられ、当該スライドによって前記ワンウェイクラッチ機構の切り換えを行うロック解除部材と、このロック解除部材に対して係脱自在に前記固定軸に取り付けられ、前記ロック解除部材との係合によってロック解除部材のスライドをロックして前記ワンウェイクラッチ機構を巻取軸の回転許容状態に保持するロックプレートと、前記ワンウェイクラッチ機構を巻取軸の回転許容状態とするように前記ロック解除部材をスライドさせる操作部材とを備えていることを特徴とする。
【０００８】
この場合、前記ワンウェイクラッチ機構は、前記巻取軸側に設けられた巻取軸側ラチェット歯と、前記固定軸側に設けられ前記巻取軸側ラチェット歯に係脱自在に噛合する固定軸側ラチェット歯と、前記巻取軸側ラチェット歯のラチェット形成面または固定軸側ラチェット歯のラチェット形成面のいずれか一方に出没可能に設けられ、前記巻取軸の引き出し方向への回転の際に相手のラチェット形成面に当接して相手のラチェット形成面との距離を保つ押出カム機構とによって形成されていることが好ましい。
また、前記巻取軸側ラチェット歯のラチェット形成面及び固定軸側ラチェット歯のラチェット形成面には、前記巻取軸の巻取方向への回転時に相互に係合可能な案内機構が設けられ、当該案内機構の係合によって前記巻取軸及び固定軸を接近させて前記ラチェット歯を噛合に導くことが好ましい。
また、前記押出カム機構は、いずれかのラチェット形成面に回動可能に設けられ当該回動によってラチェット形成面に対して出没動作する押出カムと、この押出カムが前記ラチェット形成面から突出するように押出カムを回動付勢する押出用ばねとによって形成されていることが好ましい。
また、前記案内機構は、一方のラチェット形成面のラチェット形成領域の外周側にラチェット歯よりも高くなるように形成された案内凸部と、この案内凸部と係合可能となって他方のラチェット形成面の外周側に形成された案内凹部とを備えていることが好ましい。
また、前記ワンウェイクラッチ機構は、前記巻取軸側に設けられた巻取軸側ラチェット歯と、前記固定軸側に設けられ前記巻取軸側ラチェット歯に係脱自在に噛合する固定軸側ラチェット歯とによって形成されていることが好ましい。
また、前記巻取軸の巻取方向への回転では、前記ロックプレートに作用することなく、引き出し方向への回転のときに前記ロックプレートが前記ロック解除部材との係合から外れるように作用する反転駒が前記巻取軸に設けられていることが好ましい。
【発明の効果】
【０００９】
本発明によれば、任意の位置で停止した巻取部材をさらに引き出しても、ワンウェイクラッチ機構が巻取方向への巻取軸の回転をロックするため、引き出した巻取部材が巻取軸に巻き取られることがない。従って巻取部材を任意の引き出し位置からさらに引き出すことができるため、巻取部材の引き出しを無段階で調整することが可能となる。
【００１０】
また、本発明によれば、操作部材によってロック解除部材をスライドさせてロックプレートに係合させることにより、ワンウェイクラッチ機構のロックが解除され、巻取軸が巻取ばねによって巻取方向に回転する。このため巻取部材を一気に巻き取ることができる。
【図面の簡単な説明】
【００１１】
【図１】本発明の第１実施形態の回転ロック装置を示す部分破断正面図である。
【図２】回転ロック装置を巻き取り装置に組み込んだ状態を示す図４のＡ−Ａ線断面図である。
【図３】回転ロック装置を示す部分破断背面図である。
【図４】回転ロック装置の右側面図である。
【図５】回転軸を示し、（Ａ）は縦断面図、（Ｂ）は側面図、（Ｃ）は部分破断正面図である。
【図６】可動軸の側面図である。
【図７】可動軸を示し、（Ａ）は縦断面図、（Ｂ）は側面図、（Ｃ）は正面図である。
【図８】巻取部材を完全に引き出したロック状態を示す正面図である。
【図９】巻取部材を完全に引き出したロック状態を示す断面図である。
【図１０】巻取部材を完全に引き出したロック状態を示す背面図である。
【図１１】図１０の部分拡大図である。
【図１２】巻取部材を引き出す状態を示す正面図である。
【図１３】巻取部材を引き出す状態を示す断面図である。
【図１４】巻取部材を引き出す状態を示す背面図である。
【図１５】図１４の部分拡大図である。
【図１６】巻取部材の引き出しを停止した状態を示す正面図である。
【図１７】巻取部材の引き出しを停止した状態を示す断面図である。
【図１８】巻取部材の引き出しを停止した状態を示す背面図である。
【図１９】図１８の部分拡大図である。
【図２０】一時停止状態から巻取部材を引き出した状態を示す正面図である。
【図２１】一時停止状態から巻取部材を引き出した状態を示す断面図である。
【図２２】一時停止状態から巻取部材を引き出した状態を示す背面図である。
【図２３】図２２の部分拡大図である。
【図２４】本発明の第２実施形態の回転ロック装置を示す部分破断正面図である。
【図２５】第２実施形態の回転ロック装置を巻き取り装置に組み込んだ状態を示す断面図である。
【図２６】第２実施形態の回転ロック装置を示す部分破断背面図である。
【図２７】第２実施形態の回転ロック装置の右側面図である。
【図２８】本発明の第３実施形態の回転ロック装置を示す部分破断正面図である。
【図２９】第３実施形態の回転ロック装置を巻き取り装置に組み込んだ状態を示す断面図である。
【図３０】第３実施形態の回転ロック装置を示す部分破断背面図である。
【図３１】第３実施形態の回転ロック装置の右側面図である。
【図３２】押出カム機構を回転軸側に設けた場合を示す背面図である。
【図３３】図３２の部分拡大図である。
【発明を実施するための形態】
【００１２】
以下、本発明を図示する実施形態により具体的に説明する。図１〜図２３は、本発明の第１実施形態の回転ロック装置１を示す。図１及び図２に示すように、回転ロック装置１は、シャッタのスラットやロールブラインド、シート等の長尺な巻取部材３を巻き取る巻取装置２に組み込まれるものである。
【００１３】
巻取装置２は図１〜図４に示すように、固定軸４と、巻取軸５と、巻取ばね６とを有している。固定軸４は両端部分が建造物の壁面等に固定されるものであり、巻取軸５を貫通することにより巻取軸５を回転可能に支持する。巻取軸５は固定軸４が貫通する横長の筒状に形成されている。ブラインドやスラット等の長尺な巻取部材３は巻取軸５の外周面に巻き付けられており、巻取軸５の巻き取り方向（図４におけるα方向）への回転により巻取軸５に巻き取られる一方、巻取軸５の引き出し方向（図４におけるβ方向）への回転により巻取軸５から引き出される。巻取軸５の長さ方向の両端部には、巻取軸５の構成部材である回転軸７、１１が内部に固定されている。ここで回転軸７は嵌め込みによって巻取軸５に固定されており、回転軸１１はねじ止めによって巻取軸５に固定されている。そして固定軸４がこれらの回転軸７、１１の内面に接触するように貫通することにより、巻取軸５が固定軸４に正逆方向（図４におけるα及びβ方向）に回転可能に支持される。左右の回転軸７，１１は巻取軸５の正逆方向の回転と共に一体的に回転する。この実施形態の回転ロック装置１は巻取軸５の両端部における一方側（右側）の回転軸１１に設けられる。
【００１４】
巻取ばね６はコイルばねが使用されており、固定軸４が貫通した状態で筒状の巻取軸５の内部に配置される。巻取ばね６は一端側のフック部６ａが固定軸４に係止され、他端側のフック部６ｂが回転軸７に係止されている。これにより、巻取部材３の引き出しによって巻取軸５が引き出し方向（β方向）に回転すると、巻取ばね６にばね力が蓄積され、このばね力によって巻取軸５を巻き取り方向（α方向）に回転させるように作用する。
【００１５】
回転ロック装置１は、巻取軸５の構成部材である回転軸１１側に配置されており、ワンウェイクラッチ機構３１と、ロック解除部材１３と、ロックプレート１５と、操作部材１７とを有している。
【００１６】
回転軸１１は軸本体１１ａと、軸本体１１ａから巻取軸５の軸方向（右方向）に一体に延びた筒体部１１ｂとによって形成され、全体が巻取軸５と一体回転する。軸体部１１ａは巻取軸５の一端部（右端部）にねじ止めによって固定されており、内部に固定軸４が貫通している。筒体部１１ｂは軸本体１１ａの一端側から軸方向の外側に延びた筒状に形成されている。この筒体部１１ｂの内部には、固定駒２１、ロックプレート１２、ロック解除部材１３が配置される。また、筒体部１１ｂの内面には、反転駒１９が取り付けられる。
【００１７】
固定駒２１は固定軸４の長さ方向に沿って延びており、固定駒２１及び固定軸４を貫通させた固定ねじ２２によって固定軸４の外側に固定される。固定駒２１は固定軸４の一部を構成するものである。この固定駒２１の外面には、固定軸４の一部を構成する可動軸３３が配置され、ワンウェイクラッチ機構３１はこの可動軸３３及び回転軸１１に設けられる。
【００１８】
ワンウェイクラッチ機構３１は回転軸１１（巻取軸５）に形成された巻取軸側ラチェット歯３２と、可動軸３３の対向面に形成された固定軸側ラチェット歯３４と、可動軸３３に設けられた押出カム機構４１とによって形成されている。
【００１９】
図５は回転軸１１を示し、可動軸３３と対向した面がラチェット形成面１１ｃとなっており、このラチェット形成面１１ｃに巻取軸側ラチェット歯３２が形成されている。巻取軸側ラチェット歯３２は回転軸１１の中心の周囲に円環状となって設けられている。円環状の巻取軸側ラチェット歯３３の外周側はリング状の平坦面となっており、この平坦面が押出カム機構４１の押出カム４２が当接する当接面１１ｄとなっている。
【００２０】
可動軸３３は回転軸１１の軸本体１１ａと対向するように固定駒２１に取り付けられる。可動軸３３は押しばね３９によって回転軸１１の軸本体１１ａの方向に移動するように付勢されており、回転軸１１方向への進出移動により固定軸側ラチェット歯３４が回転軸１１の巻取軸側ラチェット歯３２と噛合する。また可動軸３３の後退移動により固定軸側ラチェット歯３４は巻取軸側ラチェット歯３２との噛合から離脱する。
【００２１】
図６及び図７は可動軸３３を示し、回転軸１１の軸本体１１ａと対向した面がラチェット形成面３３ｃとなっており、このラチェット形成面３３ｃに固定軸側ラチェット歯３４が円環状となって設けられている。円環状の固定軸側ラチェット歯３４の外周側には押出カム機構４１の取付孔３３ｄが形成されている。取付孔３３ｄは可動軸３３の円周方向の４等分位置に形成されるものである。可動軸３３の中心部分には固定軸４が貫通する貫通孔３３ａが形成されている。貫通孔３３ａの外周部分には軸方向に延びる回転規制凹部３３ｂが複数形成されており、この回転規制凹部３３ｂに固定駒２１の外周面に形成された回転規制リブ２１ｂ（図２参照）が嵌り込むようになっている。これにより可動軸３３は回転規制された状態で固定軸４の軸方向に沿って移動する。
【００２２】
押出カム機構４１は可動軸３３の取付孔３３ｄのそれぞれに取り付けられる。図１１、図１５、図１９及び図２３に示すように、それぞれの押出カム機構４１は押出カム４２と、押出カム４２を巻取部材３の引き出し方向に対して、回転軸１１の回転中心軸方向に向かって左回り（図１１に示すＸ方向）に回動付勢する押圧用ばね４３とによって形成されている。このような押圧用ばね４３は可動軸３３における固定軸側ラチェット歯３４のラチェット形成面３３ｃから押出カム４２が突出するように回動付勢するものである。この実施形態において、押出用ばね４３としてはねじりばねが用いられているが、押出カム４２を上述したＸ方向に回動付勢するものであれば、板ばね、その他のばねを用いることができる。
押出カム４２は取付部４２ａと、取付部４２ａに一体に設けられたカム部４２ｂとによって形成されている。取付部４２ａは可動軸３３の取付孔３３ｄに形成された取付ピン３３ｅに回転可能に取り付けられる。カム部４２ｂは取付部４２ａからラチェット形成面３３ｃ方向に延びており、押出カム４２が正逆方向に回動することによりラチェット形成面３３ｃに対して出没可能となっている。押出カム４２はカム部４２ｂの側面部４２ｃが取付孔３３ｄの端面３３ｇに当接することにより突出方向へのそれ以上の回動が規制され、図１１に示すようにカム部４２ｂはラチェット形成面３３ｃに対して直交する方向、すなわち回転軸１１の軸方向に倣った状態で停止して最大突出状態となっている。この最大突出状態での突出高さＬは巻取軸側ラチェット歯３２と固定軸側ラチェット歯３４の高さＭ以上となるように設定されている（Ｌ＞Ｍ）。この状態で、カム部４２ｂが回転軸１１の当接面１１ｄに当接することにより（図１５参照）、回転軸１１の軸本体１１ａと可動軸３３とが一定の距離を保つように作用し、巻取軸側ラチェット歯３２と固定軸側ラチェット歯３４とが接触することを防止する。
【００２３】
図１〜図４に示すように、ロック解除部材１３は固定駒２１（固定軸４）の外面に設けられ、ロックプレート１５はこのロック解除部材１３に取り付けられている。
【００２４】
ロック解除部材１３は固定駒２１（固定軸４）の軸方向に沿った横長形状となっており、固定軸４の軸方向に沿ってスライド可能となっている。ロック解除部材１３における可動軸３３との反対側の端部には、係止片部１３ａが形成されており、この係止片部１３ａにロープ等の操作部材１７が係止されている。従って操作部材１７を引くことにより、ロック解除部材１３は固定軸４に沿って回転軸１１の軸本体１１ａから離れる方向（右方向）にスライドする。またロック解除部材１３の可動軸３３側に可動軸３３の連結ピン部３３ｆが貫通することにより、ロック解除部材１３と可動軸３３とが連結されている。従ってロック解除部材１３が右方向に移動すると、可動軸３３が同方向に移動する。これに対し、可動軸３３が回転軸１１の軸本体１１ａの方向（左方向）に移動すると、ロック解除部材１３が同方向にスライド移動する。かかるロック解除部材１３の長さ方向の中間部分には、ロックプレート１５が係合するロック孔１３ｂが形成されている。
【００２５】
ロックプレート１５は固定駒２１及びロック解除部材１３を貫通した連結ピン１８によってロック解除部材１３に取り付けられている。連結ピン１８はロックプレート１５の長さ方向の中間部分を貫通しており、ロックプレート１５は可動軸３３と反対側の端部が高くなった斜め起立状態でロック解除部材１３に取り付けられる。かかるロックプレート１５はロック解除部材１３に対して揺動可能となっている。ロックプレート１５とロック解除部材１３との間には、板ばねからなる押上ばね１６が設けられており、ロックプレート１５は押上ばね１６の弾性力によって上述した斜め起立状態が保持される。また、ロックプレート１５の可動軸３３側（左端部側）には、ロック解除部材１３のロック孔１３ｂに係脱自在に挿入されるロック爪１５ａが形成されている。ロック爪１５ａがロック孔１３ｂに挿入されることにより、ロックプレート１５とロック解除部材１３とが係合する。この係合によりロック解除部材１３のスライドがロックされる。
【００２６】
反転駒１９はロックプレート１５の右端部に対応するように回転軸１１の筒体部１１ｂ（巻取軸５）の内面に取り付けられる。反転駒１９は筒体部１１ｂの内面に回転可能に取り付けられており、回転軸１１が回転することによりロックプレート１５の右端部、すなわち斜めに高くなっているロックプレート１５の頂部に接触する。この場合、反転駒１９はねじりばねからなるリターンスプリング２３によって巻取軸５（回転軸１１）の引き出し方向（図４におけるβ方向）に回転付勢されている。このような反転駒１９は回転軸１１（巻取軸５）の巻取方向（α方向）への回転では、反転駒１９がロックプレート１５の右端部に接触しても反転駒１９が逃げるように回転するため、ロックプレート１５に作用することはないが、回転軸１１の引き出し方向（β方向）への回転でロックプレート１５の右端部に接触した場合には、反転駒１９はロックプレート１５の右端部を押すように作用する。これによりロック爪１５ａがロック解除部材１３のロック孔１３ｂから外れるようにロックプレート１５が揺動し、ロックプレート１５とロック解除部材１３との係合が解除される。
【００２７】
以上に加えて、この実施形態においては巻取軸側ラチェット歯３２と、固定軸側ラチェット歯３４とが噛合するように案内する案内機構５１が回転軸１１（巻取軸５）及び可動軸３３（固定軸４）に設けられている。案内機構５１は案内凸部５２及び案内凹部５３によって形成されるものである。
【００２８】
図７に示すように、案内凸部５２は可動軸３３におけるラチェット形成面３３ｃに形成されるものであり、ラチェット形成面３３ｃの最外周側の４等分位置に所定間隔で立ち上がるように形成されている。案内凸部５２は固定軸側ラチェット歯３４よりも高くなるように形成されている。図５に示すように、案内凹部５３は回転軸１１におけるラチェット形成面１１ｃの最外周側に複数形成されている。案内凹部５３は案内凸部５２が入り込んで係合する。案内凸部５２及び案内凹部５３は回転軸１１の回転方向に対し斜め歯となっており、これにより案内凸部５２が案内凹部５３に円滑に入り込むことが可能となっていると共に案内凹部５３から案内凸部５２が円滑に離脱することが可能となっている。かかる案内凸部５２及び案内凹部５３は回転軸１１（巻取軸５）の巻取方向への回転時に相互に係合するものである。このように案内凸部５２及び案内凹部５３が相互に係合することにより、可動軸３３が回転軸１１に引き寄せられて接近し、巻取軸側ラチェット歯３２と固定軸側ラチェット歯３４が相互に噛合する。また、案内凸部５２は固定軸側ラチェット歯３４よりも高くなるように形成されているため、可動軸３３が後退することにより巻取軸側ラチェット歯３２と固定軸側ラチェット歯３４の噛合が外れる。
【００２９】
次に回転ロック装置１の動作を説明する。図８〜図１１は巻取部材３が全開に巻き上げられた状態を示す。この状態では、操作部材１７が右方向に移動しており、これに伴って固定軸４に対してロック解除部材１３が右方向にスライド移動することにより、可動軸３３が同方向に移動して回転軸１１から離れるため、固定軸側ラチェット歯３４が巻取軸側ラチェット歯３２との噛合から外れた状態となっている。同時に押上ばね１６によって右端部が押し上げられているロックプレート１５は、そのロック爪１５ａがロック解除部材１３のロック孔１３ｂに入り込んで係合するため、可動軸３３が回転軸１１側へ戻ることが阻止され、ロックプレート１５がロック解除部材１３に係合した状態を保持する。ラチェット歯３２、３４の噛合が外れることにより回転軸１１は巻取ばね６の付勢力によって巻取方向（α方向）に回転するため、巻取部材３が巻取軸５に一気に巻き取られて全開状態となっている。このときにおいては、図１０及び図１１に示すように、押出カム機構４１の押出カム４２は押出用ばね４３の付勢力により巻取部材３の引き出し方向に回動して回動可動軸３３のラチェット形成面３３ｃから回転軸１１側に突出した状態となっている。
【００３０】
図１２〜図１５は図８〜図１１における巻取部材３の全開状態から巻取部材３を引き出す状態を示す。巻取部材３の引き出しにより回転軸１１が引き出し方向（β方向）に回転し、回転軸１１の筒体部１１ｂに取り付けられている反転駒１９がロックプレート１５の右端部を押す。これによりロックプレート１５は押上ばね１６に抗して図示の時計方向に揺動してロック爪１５ａがロック解除部材１３のロック孔１３ｂから外れる。これにより、可動軸３３は押しばね３９の付勢力により回転軸１１の方向に移動する。これと同時に押出カム機構４１の押出カム４２は押出用ばね４３の付勢力により回転し、そのカム部４２ｂが突出して回転軸１１の当接面１１ｄに当接する（図１４及び図１５）。これにより押出カム４２が可動軸３３と回転軸１１とが距離を有した離れた状態を保つため、可動軸３３の固定側ラチェット歯３４と回転軸１１の巻取軸側ラチェット歯３３とが接触することを防止する。従って、巻取部材３の引き出し時におけるラチェット歯３２、３４の衝突音が発生することがなく静かに巻取部材３を引き出すことができる。
【００３１】
図１６〜図１９は巻取部材３の引き出し途中で巻取部材３の引き出しを停止した状態を示す。この状態の前段階では、図１２〜図１５に示すようにラチェット歯３２、３４が噛合していないため、ラチェット歯３２、３４の衝突音が発生することがなく、静かに巻取部材３を引き出すことができるが、途中で一旦、巻取部材３の引き出しを止めると、回転軸１１が巻取ばね６の付勢力により巻取方向（α方向）に回転することになる。このとき、可動軸３３は押しばね３９によって回転軸１１の方向に押されているため、当接面１１ｄ側に立ち上がって当接面１１ｄに当接している押出カム４２はこの押圧力により、この巻取方向（α方向）の回転に対して押出用ばね４３を撓ませながら引っ込み作動し、可動軸３３内に入り込む。押出用ばね４３が撓むことにより同ばね４３は押出カム４２を突出方向に回動させる復元力を蓄える。
【００３２】
この押圧カム４２の引っ込み動作により、可動軸３３と回転軸１１とが接近し、回転軸１１の案内凹部５３に可動軸３３の案内凸部５２が入り込んで係合し、同時に巻取軸側ラチェット歯３２と固定軸側ラチェット歯３４とが円滑に噛合する。このラチェット歯３２、３４の噛合により、回転軸１１の巻取方向（α方向）の回転がロックされ、巻取軸５の巻取方向への回転が停止するため巻取部材３の巻き取りが停止する。これにより巻取部材３を任意の引き出し位置で一時停止させることができる。
【００３３】
図２０〜図２３は図１６〜図１９の任意の位置での巻取部材３の一時停止状態に対し、巻取部材３の引き出しを開始した状態を示す。巻取部材３の引き出しにより回転軸１１が引き出し方向（β方向）に回転する。このβ方向に対して回転軸１１の案内凹部５３は可動軸３３の案内凸部５２から離脱する形状に形成されているため、可動軸３３のこれらの形状に倣って図示左右方向に進退しながら係脱を繰り返す。この作動に伴い巻取軸側ラチェット歯３２と固定軸側ラチェット歯３との噛合も係脱を繰り返す。このとき、押出カム４２はばね力を蓄えた押出用ばね４３の付勢力により回動し、この回動によりそのカム部４２ｂが可動軸３３のラチェット形成面３３ｃからの突出と引っ込みを繰り返しながら回転軸１１の当接面１１ｄに当接する。このように巻取部材３の一時停止状態でさらに巻取部材３を引き出すことができることにより、巻取部材３の引き出しを無段階で調整することができる。
【００３４】
なお、この回転ロック装置１においては、巻取部材３を完全に引き出した全閉状態となったときに、手を離して引き出しを解除すると図１６〜図１９のロック状態となる。この全閉状態から巻取部材３を巻き取る場合には、図８〜図１１に示すように操作部材１７を引くことにより可能であり、これにより巻取部材３を一気に巻き取ることができる。
【００３５】
図２４〜図２７は本発明の第２実施形態の回転ロック装置１Ａを示す。この回転ロック装置１Ａでは、第１実施形態と同様に、ワンウェイクラッチ機構３１が回転軸１１に形成された巻取軸側ラチェット歯３２と、可動軸３３に形成された固定軸側ラチェット歯３４と、可動軸３３に設けられた押圧カム機構４１によって形成される。また、この回転ロック装置１Ａにおいては、回転軸１１及び可動軸３３には案内凸部５２及び案内凹部５３からなる案内機構５１が形成されていない。その他の構造は、図１〜図２３に示す第１実施形態の回転ロック装置１と同様であり、同一の部材には同一の符号を付して対応させてある。
【００３６】
このように案内機構５１が設けられていない場合であっても、回転軸１１の巻取軸側ラチェット歯３２と可動軸３３の固定軸側ラチェット歯３４とが噛合することにより、ワンウェイクラッチ機構３１が巻取方向への巻取軸５の回転をロックするため、引き出した巻取部材３が巻取軸に巻き取られることがなく、巻取部材３を任意の引き出し位置からさらに引き出すことができ、巻取部材３の引き出しを無段階で調整することができる。また、操作部材１７によってロック解除部材１３をスライドさせてロックプレート１５に係合させることにより、ワンウェイクラッチ機構３１のロックが解除され、巻取軸５が巻取方向に回転するため、巻取部材３を一気に巻き取ることができる。
【００３７】
図２８〜図３１は本発明の第３実施形態の回転ロック装置１Ｂを示す。この回転ロック装置１Ｂにおいては、ワンウェイクラッチ機構３１が回転軸１１に形成された巻取軸側ラチェット歯３２と、可動軸３３に形成された固定軸側ラチェット歯３４とによって形成されるものであり、回転ロック装置１における押出カム機構４１が省略されている。また、回転軸１１及び可動軸３３には案内凸部５２及び案内凹部５３からなる案内機構５１が形成されていない。その他の構造は、図１〜図２３に示す第１実施形態の回転ロック装置１と同様であり、同一の部材には同一の符号を付して対応させてある。
【００３８】
このように押出カム機構４１及び案内機構５１を省略した構造であっても、第１実施形態の回転ロック装置１と同様に、ワンウェイクラッチ機構３１が巻取方向への巻取軸５の回転をロックするため、引き出した巻取部材３が巻取軸に巻き取られることがなく、巻取部材３を任意の引き出し位置からさらに引き出すことができ、巻取部材３の引き出しを無段階で調整することができる。また、操作部材１７によってロック解除部材１３をスライドさせてロックプレート１５に係合させることにより、ワンウェイクラッチ機構３１のロックが解除され、巻取軸５が巻取方向に回転するため、巻取部材３を一気に巻き取ることができる。
【００３９】
本発明は以上の実施形態に限定されることなく種々変形が可能である。上記実施形態では、押出カム機構４１を可動軸３３（固定軸４）に設けているが、回転軸１１側に設けても良く、可動軸３３及び回転軸１１の双方に設けても良い。
【００４０】
図３２及び図３３は、押出カム機構４１を回転軸１１（巻取軸５）側に設けた場合を示す。押出カム機構４１は回転軸１１の軸本体１１ａに形成された取付ピン１１ｆに回動可能に取り付けられた押出カム４２と、この押出カム４２を左回り（Ｘ方向）に回動付勢する押出用ばね４３とを有している。すなわち押出用ばね４３はそのカム部４２ｂが回転軸１１のラチェット形成面１１ｃから突出するように押出カム４２を付勢している。このカム部４２ｂの最大突出状態での突出高さＬを巻取軸側ラチェット歯３２及び固定軸側ラチェット歯３４の高さＭ以上となるように設定することにより、押出カム機構４１は回転軸１１の軸本体１１ａと可動軸３３とが一定の距離を保つように作用する。
【００４１】
なお、案内機構５１の案内凸部５２を可動軸３３に形成し、案内凹部５３を回転軸１１に形成しているが、本発明においては、案内機構５１の案内凸部５２を回転軸１１の軸本体１１ａにおけるラチェット形成面１１ｃに形成する一方、案内凹部５３を可動軸３３のラチェット形成面３３ｃに形成しても良い。さらに案内凸部５２を可動軸３３及び回転軸１１の軸本体１１ａの双方に形成すると共に、案内凹部５３を可動軸３３及び回転軸１１の軸本体１１ａの双方に形成しても良い。
【符号の説明】
【００４２】
１、１Ａ、１Ｂ  回転ロック装置
３  巻取部材
４  固定軸
５  巻取軸
６  巻取ばね
７  回転軸
１１  回転軸
１１ｃ  ラチェット形成面
１３  ロック解除部材
１５  ロックプレート
１６  押上ばね
１７  操作部材
１９  反転駒
２１  固定駒
２３  リターンスプリング
３１  ワンウェイクラッチ機構
３２  巻取軸側ラチェット歯
３３  可動軸
３４  固定軸側ラチェット歯
３９  押しばね
４１  押出カム機構
４２  押出カム
４３  押出用ばね
５１  案内機構
５２  案内凸部
５３  案内凹部
【図１】
2014084650.tif 000003
【図２】
2014084650.tif 000004
【図３】
2014084650.tif 000005
【図４】
2014084650.tif 000006
【図５】
2014084650.tif 000007
【図６】
2014084650.tif 000008
【図７】
2014084650.tif 000009
【図８】
2014084650.tif 000010
【図９】
2014084650.tif 000011
【図１０】
2014084650.tif 000012
【図１１】
2014084650.tif 000013
【図１２】
2014084650.tif 000014
【図１３】
2014084650.tif 000015
【図１４】
2014084650.tif 000016
【図１５】
2014084650.tif 000017
【図１６】
2014084650.tif 000018
【図１７】
2014084650.tif 000019
【図１８】
2014084650.tif 000020
【図１９】
2014084650.tif 000021
【図２０】
2014084650.tif 000022
【図２１】
2014084650.tif 000023
【図２２】
2014084650.tif 000024
【図２３】
2014084650.tif 000025
【図２４】
2014084650.tif 000026
【図２５】
2014084650.tif 000027
【図２６】
2014084650.tif 000028
【図２７】
2014084650.tif 000029
【図２８】
2014084650.tif 000030
【図２９】
2014084650.tif 000031
【図３０】
2014084650.tif 000032
【図３１】
2014084650.tif 000033
【図３２】
2014084650.tif 000034
【図３３】
2014084650.tif 000035